(57)【要約】【課題】プラスチック成形品に生じている歪を、短時間で容易かつ精度よく除去できるようにする。【解決手段】プラスチック成形品２を、ベース治具５と固定治具６とで挾持して位置固定する。この状態で、プラスチック成形品２の歪発生部に、レーザ光源４からのレーザ光３を照射する。これにより、歪に伴ない発生していたプラスチック成形品２の変位量Ｄが次第に少なくなるので、これをセンサ７で確認し、歪が除去されて変位量Ｄが零になった時点で、レーザ光３の照射を停止させる。【選択図】図１
2006027202.tif 000002
【特許請求の範囲】
【請求項１】
プラスチック成形品の歪発生部に、レーザ光を照射して歪を除去することを特徴とするプラスチック成形品の歪除去方法。
【請求項２】
プラスチック成形品の歪発生部に、レーザ光吸収剤を付着させた後にレーザ光を照射して歪を除去することを特徴とするプラスチック成形品の歪除去方法。
【請求項３】
プラスチック成形品は、反レーザ光照射側からプラスチック成形品を支持するベース治具と、レーザ光照射側からプラスチック成形品の歪発生部以外の部分を支持する固定治具との間で挾持されて変形が矯正され、レーザ光は、変形が矯正された状態で歪発生部に照射されることを特徴とする請求項１または２記載のプラスチック成形品の歪除去方法。
【請求項４】
プラスチック成形品は、反レーザ光照射側からプラスチック成形品を支持するベース治具と、レーザ光照射側からプラスチック成形品を支持し少なくとも歪発生部に対応する部位がレーザ光透過材で形成されている固定治具との間で挾持されて変形が矯正され、レーザ光は、変形が矯正された状態で歪発生部に照射されることを特徴とする請求項１または２記載のプラスチック成形品の歪除去方法。
【請求項５】
プラスチック成形品の歪発生部にレーザ光を照射するレーザ光源と；反レーザ光照射側からプラスチック成形品を支持するベース治具と；レーザ光照射側からプラスチック成形品を支持し、前記ベース治具との間でプラスチック成形品を挾持してプラスチック成形品の変形を矯正する固定治具と；を備え、前記固定治具は、プラスチック成形品の少なくとも歪発生部に対応する部位に、歪発生部を露出させるための開口または切欠きを有し、レーザ光は、この開口または切欠きを通して歪発生部に照射されることを特徴とするプラスチック成形品の歪除去装置。
【請求項６】
プラスチック成形品の歪発生部にレーザ光を照射するレーザ光源と；反レーザ光照射側からプラスチック成形品を支持するベース治具と；レーザ光照射側からプラスチック成形品を支持し、前記ベース治具との間でプラスチック成形品を挾持してプラスチック成形品の変形を矯正する固定治具と；を備え、前記固定治具は、プラスチック成形品の少なくとも歪発生部に対応する部位が、レーザ光透過材で形成され、レーザ光は、このレーザ光透過材を通して歪発生部に照射されることを特徴とするプラスチック成形品の歪除去装置。
【請求項７】
プラスチック成形品の歪発生部にレーザ光を照射するレーザ光源と；反レーザ光照射側からプラスチック成形品を支持するベース治具と；レーザ光照射側からプラスチック成形品の歪発生部および歪に伴なう変形部以外の部位を支持し、前記ベース治具との間でプラスチック成形品を挾持してプラスチック成形品を固定する固定治具と；レーザ光の照射により変形部の変形が矯正されていく状態を確認し、変形が零になった際に歪除去完了信号を出力する確認手段と；確認手段からの歪除去完了信号の入力により、レーザ光源からのレーザ光の照射を停止させる制御手段と；を具備することを特徴とするプラスチック成形品の歪除去装置。
【請求項８】
確認手段は、プラスチック成形品における変形部の変位量を検出するセンサと、センサからの検出値と正規値とを比較し両値が一致した際に歪除去完了信号を出力する比較器とを備えていることを特徴とする請求項７記載のプラスチック成形品の歪除去装置。
【請求項９】
確認手段は、プラスチック成形品における変形部を画像として捉える撮像機構と、撮像機構からの画像データと正規データとを比較し両データが一致した際に歪除去完了信号を出力する比較器とを備えていることを特徴とする請求項７記載のプラスチック成形品の歪除去装置。
【請求項１０】
プラスチック成形品の歪発生部に、レーザ光の照射に先立って、レーザ光吸収剤を付着させておくことを特徴とする請求項５，６，７，８または９記載のプラスチック成形品の歪除去装置。
【発明の詳細な説明】
【技術分野】
【０００１】
本発明は、プラスチック成形品の歪除去方法およびその装置に係り、特にレーザ光を用いて極めて短時間で歪を除去することができる歪除去方法およびその装置に関する。
【背景技術】
【０００２】
従来、プラスチック成形品の歪を除去する方法としては、プラスチック成形品を形状矯正用治具にセットした状態で、熱処理用加熱槽内に配置し、数十分ないし数時間一定温度に加熱して歪を除去する方法が採られている。
【特許文献１】特開平１１−１９８１７６号公報
【発明の開示】
【発明が解決しようとする課題】
【０００３】
前記従来のプラスチック成形品の歪除去方法においては、プラスチック成形品を熱処理用加熱槽内に配置し、長時間かけてゆっくり加熱して歪を除去しなければならないため、歪除去に長時間を要するとともに、歪除去後のプラスチック成形品は、全体が高温に加熱された状態となっているため、これを急速冷却することはできず、長時間かけてゆっくり冷却する必要があり、冷却の際にも長時間を要するという問題がある。
【０００４】
本発明は、かかる現況に鑑みなされたもので、短時間でしかも精度よく歪を除去して形状変形を矯正することができるプラスチック成形品の歪除去方法およびその装置を提供することを目的とする。
【０００５】
本発明の他の目的は、プラスチック成形品を構成する材料の光吸収波長帯が、レーザ光の波長帯からずれている場合であっても、何等問題なく歪を除去することができるようにすることにある。
【０００６】
本発明の他の目的は、装置構成を簡素化してコストダウンを図ることができるようにすることにある。
【０００７】
本発明のさらに他の目的は、歪発生に伴なうプラスチック成形品の変形度合が大きい場合であっても、歪除去時にプラスチック成形品に無理な矯正力を加える必要がないようにすることにある。
【課題を解決するための手段】
【０００８】
前記目的を達成するため本発明は、プラスチック成形品の歪発生部に、レーザ光を照射して歪を除去するようにしたことを特徴とする。
【０００９】
本発明はまた、プラスチック成形品の歪発生部に、レーザ光吸収剤を付着させた後にレーザ光を照射して歪を除去するようにしたことを特徴とする。
【００１０】
本発明はまた、プラスチック成形品を、反レーザ光照射側からプラスチック成形品を支持するベース治具と、レーザ光照射側からプラスチック成形品の歪発生部以外の部分を支持する固定治具との間で挾持して変形を矯正し、レーザ光を、変形が矯正された状態で歪発生部に照射するようにしたことを特徴とする。
【００１１】
本発明はまた、プラスチック成形品を、反レーザ光照射側からプラスチック成形品を支持するベース治具と、レーザ光照射側からプラスチック成形品を支持し少なくとも歪発生部に対応する部位がレーザ光透過材で形成されている固定治具との間で挾持して変形を矯正し、レーザ光を、変形が矯正された状態で歪発生部に照射するようにしたことを特徴とする。
【００１２】
本発明はまた、プラスチック成形品の歪発生部にレーザ光を照射するレーザ光源と；反レーザ光照射側からプラスチック成形品を支持するベース治具と；レーザ光照射側からプラスチック成形品を支持し、前記ベース治具との間でプラスチック成形品を挾持してプラスチック成形品の変形を矯正する固定治具と；を設け、前記固定治具におけるプラスチック成形品の少なくとも歪発生部に対応する部位に、歪発生部を露出させるための開口または切欠きを設け、レーザ光を、この開口または切欠きを通して歪発生部に照射するようにしたことを特徴とする。
【００１３】
本発明はまた、プラスチック成形品の歪発生部にレーザ光を照射するレーザ光源と、反レーザ光照射側からプラスチック成形品を支持するベース治具と；レーザ光照射側からプラスチック成形品を支持し、前記ベース治具との間でプラスチック成形品を挾持してプラスチック成形品の変形を矯正する固定治具と；を設け、前記固定治具におけるプラスチック成形品の少なくとも歪発生部に対応する部位を、レーザ光透過材で形成し、レーザ光を、このレーザ光透過材を通して歪発生部に照射するようにしたことを特徴とする。
【００１４】
本発明はまた、プラスチック成形品の歪発生部にレーザ光を照射するレーザ光源と；反レーザ光照射側からプラスチック成形品を支持するベース治具と；レーザ光照射側からプラスチック成形品の歪発生部および歪に伴なう変形部以外の部位を支持し、前記ベース治具との間でプラスチック成形品を挾持してプラスチック成形品を固定する固定治具と；レーザ光の照射により変形部の変形が矯正されていく状態を確認し、変形が零になった際に歪除去完了信号を出力する確認手段と；確認手段からの歪除去完了信号の入力により、レーザ光源からのレーザ光の照射を停止させる制御手段と；を設けるようにしたことを特徴とする。
【００１５】
本発明はまた、確認手段を、プラスチック成形品における変形部の変位量を検出するセンサと、センサからの検出値と正規値とを比較し両値が一致した際に歪除去完了信号を出力する比較器とで構成するようにしたことを特徴とする。
【００１６】
本発明はまた、確認手段を、プラスチック成形品における変形部を画像として捉える撮像機構と、撮像機構からの画像データと正規データとを比較し両データが一致した際に歪除去完了信号を出力する比較器とで構成するようにしたことを特徴とする。
【００１７】
本発明はさらに、プラスチック成形品の歪発生部に、レーザ光の照射に先立って、レーザ光吸収剤を付着させておくようにしたことを特徴とする。
【発明の効果】
【００１８】
本発明は、プラスチック成形品の歪発生部に、レーザ光を照射して歪を除去するようにしているので、従来の場合と異なり、熱処理用加熱槽を用いてプラスチック成形品を加熱する必要がなく、プラスチック成形品全体が高温になることがない。このため、歪除去を短時間で行なうことができる。しかも、歪発生部はレーザ光により充分に部分加熱されるので、歪を精度よく除去することができる。また、プラスチック成形品全体が高温になることがないので、冷却に長時間を要することもなく、歪除去全体の作業時間を大幅に短縮することができる。
【００１９】
本発明はまた、プラスチック成形品の歪発生部に、レーザ光吸収剤を付着させた後にレーザ光を照射して歪を除去するようにしているので、プラスチック成形品を構成する材料の光吸収波長帯が、レーザ光の波長帯からずれている場合であっても、何等問題なく歪を除去することができる。
【００２０】
本発明はまた、プラスチック成形品を、反レーザ光照射側からプラスチック成形品を支持するベース治具と、レーザ光照射側からプラスチック成形品の歪発生部以外の部分を支持する固定治具との間で挾持して変形を矯正し、レーザ光を、変形が矯正された状態で歪発生部に照射するようにしているので、歪の除去により変形部が矯正されていく状態を、センサ等で確認する必要がなく、装置構成を簡素化してコストダウンを図ることができる。しかも、固定治具は、プラスチック成形品の歪発生部以外の部分を支持する構造になっているので、レーザ光の照射に際して固定治具が邪魔になることがない。
【００２１】
本発明はまた、プラスチック成形品を、反レーザ光照射側からプラスチック成形品を支持するベース治具と、レーザ光照射側からプラスチック成形品を支持し少なくとも歪発生部に対応する部位がレーザ光透過材で形成されている固定治具との間で挾持して変形を矯正し、レーザ光を、変形が矯正された状態で歪発生部に照射するようにしているので、プラスチック成形品は、歪発生部を含めてベース治具と固定治具との間で挾持されることになる。このため、変形の矯正状態を安定させることができる。しかも、固定治具の少なくとも歪発生部に対応する部位は、レーザ光透過材で形成されているので、レーザ光を問題なく歪発生部に照射することができる。
【００２２】
本発明はまた、プラスチック成形品の歪発生部にレーザ光を照射するレーザ光源と；反レーザ光照射側からプラスチック成形品を支持するベース治具と；レーザ光照射側からプラスチック成形品を支持し、前記ベース治具との間でプラスチック成形品を挾持してプラスチック成形品の変形を矯正する固定治具と；を設けるとともに、前記固定治具におけるプラスチック成形品の少なくとも歪発生部に対応する部位に、歪発生部を露出させるための開口または切欠きを設け、レーザ光を、この開口または切欠きを通して歪発生部に照射するようにしているので、固定治具でプラスチック成形品の変形を矯正している状態であっても、固定治具の開口または切欠きを通して、レーザ光を歪発生部に問題なく照射することができる。しかも、プラスチック成形品は、両治具間で挾持されて変形が矯正された状態となっているので、レーザ光の照射により歪が除去されれば、変形も自動的に矯正され、センサ等で変形の矯正を確認する必要がない。
【００２３】
本発明はまた、プラスチック成形品の歪発生部にレーザ光を照射するレーザ光源と、反レーザ光照射側からプラスチック成形品を支持するベース治具と；レーザ光照射側からプラスチック成形品を支持し、前記ベース治具との間でプラスチック成形品を挾持してプラスチック成形品の変形を矯正する固定治具と；を設けるとともに、前記固定治具におけるプラスチック成形品の少なくとも歪発生部に対応する部位を、レーザ光透過材で形成し、レーザ光を、このレーザ光透過材を通して歪発生部に照射するようにしているので、プラスチック成形品を、歪発生部を含めて両治具間で挾持することができる。このため、変形の矯正状態を安定させることができる。しかも、プラスチック成形品の少なくとも歪発生部に対応する部位は、レーザ光透過材で形成されているので、固定治具でプラスチック成形品を支持している状態であっても、レーザ光を問題なく歪発生部に照射することができる。
【００２４】
本発明はまた、プラスチック成形品の歪発生部にレーザ光を照射するレーザ光源と；反レーザ光照射側からプラスチック成形品を支持するベース治具と；レーザ光照射側からプラスチック成形品の歪発生部および歪に伴なう変形部以外の部位を支持し、前記ベース治具との間でプラスチック成形品を挾持してプラスチック成形品を固定する固定治具と；レーザ光の照射により変形部の変形が矯正されていく状態を確認し、変形が零になった際に歪除去完了信号を出力する確認手段と；確認手段からの歪除去完了信号の入力により、レーザ光源からのレーザ光の照射を停止させる制御手段と；を設けるようにしているので、両治具間でプラスチック成形品の変形部を挾持して、強制的に変形を矯正する必要がない。このため、歪発生に伴なう変形度合が大きい場合であっても、プラスチック成形品に無理な外力を加える必要がなく、無理な外力の負荷に伴なうプラスチック成形品の損傷を防止することができる。
【００２５】
本発明はまた、確認手段を、プラスチック成形品における変形部の変位量を検出するセンサと、センサからの検出値と正規値とを比較し両値が一致した際に歪除去完了信号を出力する比較器とで構成するようにしているので、確認手段を比較的安価に構成することができる。
【００２６】
本発明はまた、確認手段を、プラスチック成形品における変形部を画像として捉える撮像機構と、撮像機構からの画像データと正規データとを比較し両データが一致した際に歪除去完了信号を出力する比較器とで構成するようにしているてので、確認手段による自動制御状態を、作業員が映像としてモニタで確認することができる。
【００２７】
本発明はさらに、プラスチック成形品の歪発生部に、レーザ光の照射に先立って、レーザ光吸収剤を付着させておくようにしているので、プラスチック成形品を構成する材料の光吸収波長帯が、レーザ光の波長帯からずれている場合であっても、何等問題なく歪を除去することができる。しかも、レーザ光吸収剤の付着範囲を、歪発生部に完全に一致させておけば、レーザ光の照射範囲は多少ラフであっても、問題なく歪を除去することができる。
【発明を実施するための最良の形態】
【００２８】
以下、本発明を参照して説明する。
図１は、本発明の第１の実施の形態に係るプラスチック成形品２の歪除去装置を示すもので、この歪除去装置１は、プラスチック成形品２の歪発生部にレーザ光３を照射するレーザ光源４と、反レーザ光照射側からプラスチック成形品２を支持するベース治具５と、レーザ光照射側からプラスチック成形品２を支持する固定治具６とを備えており、前記プラスチック成形品２は、歪発生部および歪発生に伴なう変形部以外の部位が、前記両治具４，５間で挾持されて位置固定されるようになっている。
【００２９】
なお、同一の成形型から製造される各プラスチック成形品２は、歪発生部の位置，大きさ等がほぼ同一で、歪発生に伴ない変形が発生する部位，すなわち変形部の位置および変移量等もほぼ同一である。したがって、両治具４，５でプラスチック成形品２を挾持する際に、前記歪発生部および変形部を避けてプラスチッ成形品２を挾持固定することは極めて容易である。
【００３０】
前記レーザ光源４は、例えば半導体レーザで構成されており、このレーザ光源４から出射されたレーザ光３は、プラスチック成形品２の歪発生部に照射されるようになっている。
【００３１】
このレーザ光源４は、通常は所定の固定位置に固定しておけば、レーザ光３を歪発生部の全域に照射することができるが、歪発生部の位置や大きさ等によっては、レーザ光源４を移動させることが必要となる場合もある。そこで、このような場合には、図１に矢印Ａ，Ｂで示すように、レーザ光源４を、手動あるいは自動制御により、円弧状あるいは直線的に移動させることができるようになっている。
【００３２】
また、プラスチック成形品２の材料によっては、その光吸収波長帯がレーザ光３の波長帯からずれている場合もあり、その場合には、レーザ光３をプラスチック成形品２の歪発生部に照射しても、歪を除去することができないことになる。そこで、このような場合には、歪発生部にレーザ光吸収剤を塗布その他の方法により付着させた後、レーザ光３を照射する。このレーザ光吸収剤としては、例えばレーザ光源４が半導体レーザで構成されている場合には、赤外線吸収剤がレーザ光吸収剤として用いられる。
【００３３】
なお、このレーザ光吸収剤を用いる場合には、レーザ光吸収剤を正確に歪発生部に付着させておけば、他の部分にレーザ光３を照射しても、レーザ光３の照射に伴なうプラスチック成形品２への悪影響は全くないので、レーザ光源４を移動させる際の制御はむしろ容易になる。
【００３４】
前記プラスチック成形品２の変形が生じている部分，すなわち変形部の近傍位置には、図１に示すように、前記変形部の変移量Ｄを検出するためのセンサ７が、矢印Ｃ方向に移動可能に配設されており、このセンサ７は、図２に示すように、比較器８とともに確認手段９を構成するようになっている。
【００３５】
すなわち、前記確認手段９は、レーザ光３の照射により変形部の変形が矯正されていく状態を確認し、変形が零になった際に歪除去完了信号を出力するようになっており、この歪除去完了信号は、前記センサ７を駆動する駆動手段１０，レーザ光源駆動手段１１およびレーザ光源４を制御するための制御手段１２に入力されるようになっている。そして、制御手段１２は、前記歪除去完了信号の入力により、レーザ光源４を制御してレーザ光３の照射を停止させるようになっている。
【００３６】
これをより詳細に説明すると、確認手段９を構成するセンサ７は、駆動手段１０の駆動により変形部にそって矢印Ｃ方向に移動して、変形部の例えば５箇所の測定点の変位量Ｄ，より具体的にはプラスチック成形品２までの距離を検出するようになっており、これら各検出値は比較器８に送られ、比較器８に予め記憶されている正規値と比較されるようになっている。そして、前記５箇所の測定点において、センサ７からの検出値と正規値とがすべて一致した際に、比較器８から歪除去完了信号が出力されるとともに、比較器８での比較状態は、図２に示すモニタ１３に表示され、作業者が目視確認できるようになっている。
【００３７】
図３は、歪除去途中におけるモニタ１３の表示画面の一例を示すもので、図３においては、５箇所の測定点のうち、第２番目と第３番目の測定点において、検出値と正規値とが未だ一致していない状態を示している。
【００３８】
次に、本実施の形態における作用について説明する。
歪除去に際しては、まずプラスチック成形品２の歪発生部および歪に伴なう変形部以外の部位を、ベース治具５と固定治具６との間で挾持して、プラスチック成形品２を位置固定する。
【００３９】
次いで、制御手段１２を介しレーザ光源４を起動して、レーザ光３をプラスチック成形品２の歪発生部に照射するとともに、レーザ光源駆動手段１１を駆動して、レーザ光源４を矢印Ａあるいは矢印Ｂの方向に移動させる。もちろんレーザ光源４を移動させる必要がない場合もあるので、その場合には、レーザ光源４は静止したままである。
【００４０】
レーザ光３を歪発生部に照射すると、歪が次第に除去され、歪に伴なう変形部の変位量Ｄも次第に減少していく。その状態は、センサ７と比較器８とで構成される確認手段９で確認され、変位量Ｄが零になった際に、比較器８から歪除去完了信号が出力される。制御手段１２は、この歪除去完了信号の入力を受け、レーザ光源４を制御してレーザ光３の照射を停止させる。
【００４１】
しかして、ベース治具５と固定治具６とでプラスチック成形品２を挾持固定しているが、両治具５，６で歪に伴なう変形部の変形を、強制的に矯正するわけではなく、単にレーザ光１３を歪発生部に照射するだけでよいので、変形部の変形度合が大きい場合であっても、プラスチック成形品２に無理な力を加えてプラスチック成形品２を損傷するおそれがない。しかも、歪発生部の歪が除去されれば、レーザ光３の照射が自動停止するので、作業に熟練を要しない。
【００４２】
図４ないし図５は、本発明の第２の実施の形態を示すもので、前記第１の実施の形態における確認手段９に代え、ＴＶカメラ１７と比較器１８とで構成される確認手段１９を用いるようにしたものである。
【００４３】
すなわち、ＴＶカメラ１７は、図４に示すように、プラスチック成形品２の変形部の変形度合を画像として捉えるようになっており、ＴＶカメラ１７で捉えられた画像データは、比較器１８に送られて正規データと比較され、両データが一致した際に、比較器１８から歪除去完了信号が出力されるようになっている。
【００４４】
図６は、比較器１８での比較状態の一例を示すもので、モニタ１３の表示画面内の符号Ｅを付した画像が正規データ画像、符合Ｆを付した画像がＴＶカメラ１７からの画像データ画像であり、両画像Ｅ，Ｆが一致した際に、歪除去が完了したことになる。
なお、その他の点については、前記第１の実施の形態と同一構成となっており、作用も同一である。
【００４５】
しかして、ＴＶカメラ１７の場合には、センサ７の場合と異なり、移動させる必要がないので駆動手段１０（図２参照）が不要となり、レーザ光３の照射により瞬時に歪が除去されるような微小な変形に対しても、充分に対応することができる。
【００４６】
図７は、本発明の第３の実施の形態を示すもので、前記第１の実施の形態におけるベース治具５および固定治具６に代え、ベース治具２５および固定治具２６を用いるようにしたものである。
【００４７】
すなわち、ベース治具２５および固定治具２６は、図７に示すように、プラスチック成形品２を挾持固定することにより、プラスチック成形品２の歪に伴なう変形を強制的に矯正できるようになっており、レーザ光源４からのレーザ光３は、両治具２５，２６でプラスチック成形品２の変形を矯正した状態で、歪発生部に照射されるようになっている。
【００４８】
ところで、固定治具２６は、レーザ光３の照射側に位置しているので、固定治具２６には、歪発生部を露出するための開口２６ａが設けられ、両治具２５，２６でプラスチック成形品２を挾持固定している状態であっても、何等支障なくレーザ光３を歪発生部に照射できるようになっている。
なお、その他の点については、前記第１の実施の形態と同一構成となっており、作用も同一である。
【００４９】
しかして、両治具２５，２６により、プラスチック成形品２の変形を強制的に矯正した状態で、レーザ光３を照射して歪を除去するようにしているので、前記両実施の形態の場合と異なり、歪除去の完了を確認するための確認手段９，１９等が不要となり、装置構成を簡素化してコストダウンを図ることができる。
【００５０】
ただし、歪除去の完了を確認する手段がないので、プラスチック成形品２と同一のサンプルを用いて、レーザ光３を歪発生部にどのように照射し、どの程度の時間照射すれば歪を除去することができるのかを、予め確認しておく必要がある。
【００５１】
なお、前記第３の実施の形態においては、固定治具２６に開口２６ａを設けて歪発生部を露出させる場合について説明したが、開口２６ａに代えて切欠きを用いるようにしても同様の効果を得ることができる。
【００５２】
図８は、本発明の第４の実施の形態を示すもので、前記第３の実施の形態における固定治具２６に代え、固定治具３６を用いるようにしたものである。
【００５３】
すなわち、この固定治具３６は、図８に示すように、その全体がレーザ光透過材，例えばレーザ光源４が半導体レーザで構成されている場合には透明な材料で形成されており、固定治具３６で歪発生部を覆っている状態であっても、レーザ光３を歪発生部に照射することができるようになっている。
なお、その他の点については、前記第３の実施の形態と同一構成となっており、作用も同一である。
【００５４】
しかして、本実施の形態の場合には、歪発生部を含めて、プラスチック成形品２のレーザ光３照射側を覆うことができるので、両治具２５，３６によるプラスチック成形品２の変形矯正状態を、より安定させることができる。
【００５５】
なお、前記第４の実施の形態においては、固定治具３６の全体がレーザ光透過材で形成されている場合について説明したが、歪発生部に対応する部位のみがレーザ光透過材で形成されていれば所期の目的を達成することができる。したがって、例えば図７に示す固定治具２６の開口２６ａにレーザ光透過材を嵌め込んだような治具であってもよい。
【産業上の利用可能性】
【００５６】
以上のように、本発明に係るプラスチック成形品の歪除去方法およびその装置は、レーザ光を用いた歪除去方法およびその装置として有用であり、特に極めて短時間で簡単に歪を除去することができる歪除去方法およびその装置として適している。
【図面の簡単な説明】
【００５７】
【図１】本発明の第１の実施の形態に係るプラスチック成形品の歪除去装置を示す構成図である。
【図２】図１の装置における制御機構の構成を示すブロック図である。
【図３】図２のモニタの表示画面の一例を示す説明図である。
【図４】本発明の第２の実施の形態を示す図１相当図である。
【図５】図４と同様の図２相当図である。
【図６】図４と同様の図３相当図である。
【図７】本発明の第３の実施の形態を示す図１相当図である。
【図８】本発明の第４の実施の形態を示す図１相当図である。
【符号の説明】
【００５８】
１  歪除去装置
２  プラスチック成形品
３  レーザ光
４  レーザ光源
５，２５  ベース治具
６，２６，３６  固定治具
７  センサ
８，１８  比較器
９，１９  確認手段
１０  制御手段
１１  レーザ光源駆動手段
１３  モニタ
１７  ＴＶカメラ
２６ａ  開口
Ｄ  変位量
Ｅ  正規データ画像
Ｆ  画像データ画像
【図１】
2006027202.tif 000003
【図２】
2006027202.tif 000004
【図３】
2006027202.tif 000005
【図４】
2006027202.tif 000006
【図５】
2006027202.tif 000007
【図６】
2006027202.tif 000008
【図７】
2006027202.tif 000009
【図８】
2006027202.tif 000010